(57)【要約】【課題】スピーカユニットを小径化せずにその前後空間を連通する連通路を形成して良好な音質が得られるイヤホンを提供する。【解決手段】スピーカユニット(3)と、スピーカユニット(3)を内部に収容したハウジング(6)と、ハウジング(6)の内部に配置され、スピーカユニット(3)の放音面(3k)とは反対側の面(3h)を、間に第１の空間(Vf4)を形成して支持するバッフル(7)と、を備える。バッフル(7)は、第１の空間(Vf4)と、第１の空間(Vf4)とは反対側の第２の空間(Vd)と、を連通する通気孔(7c)を有する。スピーカユニット(3)の側面（3j）とハウジング(6)の内面(4c)との間に、第１の空間(Vf4)と、スピーカユニット(3)に対する放音面(3k)側となる第３の空間(Vfa)と、を連通する第４の空間(Vf3)が形成されている。【選択図】図１
2019047406.tif 000002
【特許請求の範囲】
【請求項１】
スピーカユニットと、
前記スピーカユニットを内部に収容したハウジングと、
前記ハウジングの内部に配置され、前記スピーカユニットの放音面とは反対側の面を、間に第１の空間を形成して支持するバッフルと、
を備え、
前記バッフルは、前記第１の空間と、前記第１の空間とは反対側の第２の空間と、を連通する通気孔を有し、
前記スピーカユニットの側面と前記ハウジングの内面との間に、前記第１の空間と、前記スピーカユニットに対する前記放音面側となる第３の空間と、を連通する第４の空間が形成されているイヤホン。
【請求項２】
前記第１の空間は、前記スピーカユニットが、前記ハウジング又は前記スピーカユニットに突出形成された突出部において支持されることで形成されていることを特徴とする請求項１記載のイヤホン。
【請求項３】
前記通気孔は、少なくとも一部が、前記バッフルにおける前記スピーカユニットの投影範囲内に形成されていることを特徴とする請求項１又は請求項２記載のイヤホン。
【請求項４】
スピーカユニットと、
前記スピーカユニットを内部に収容したハウジングと、
前記ハウジングの内部に配置され、前記スピーカユニットよりも大径の基部と、前記基部から径方向内側に向かって突出し前記スピーカユニットの側面を周方向に離隔した位置で支持する複数の支持腕部を有するバッフルと、
を備え、
前記ハウジング内の、前記バッフルに対する一方側の空間と他方側の空間とが、隣接する前記支持腕部と前記スピーカユニットとの間に形成された通気孔で連通しているイヤホン。
【請求項５】
前記通気孔は径方向の幅よりも周方向の長さの方が長い弧状であることを特徴とする請求項４記載のイヤホン。
【発明の詳細な説明】
【技術分野】
【０００１】
本発明は、イヤホンに係る。
【背景技術】
【０００２】
特許文献１に示されるように、音質改善のため、スピーカユニットを取り付けたバッフルに音響通路を設けてバッフル前後の空間を音響的に接続したヘッドホンが知られている。
この構造を、ヘッドホンよりも小さいハウジングを有するイヤホンに導入することが検討されており、一例として特許文献２に記載されたイヤホンがある。
特許文献２に記載されたイヤホンは、ハウジングの内部に、スピーカユニットを嵌合支持すると共にハウジングの内部空間を前後に区画する区画壁を有している。そして、ハウジングの外形の一部が径方向に突出し、その突出部分に対応した区画壁に、前後の内部空間を連通させる連通管が設けられている。
【先行技術文献】
【特許文献】
【０００３】
【特許文献１】特開２０１５−１６７３２９号公報
【特許文献２】特開２０１６−２０１７０６号公報
【発明の概要】
【発明が解決しようとする課題】
【０００４】
一般に、イヤホンは、特許文献２に示されるようなイヤーピースを外耳道に挿入するカナル型（耳栓型）であっても、イヤーピースを備えていないインナーイヤー型であっても、ハウジングを耳介内に装着して使用する。そのため、ハウジングを径方向に大きくすることは難しい。
すなわち、特許文献２のイヤホンのように、スピーカユニットが取り付けられた区画壁に連通管を設ける場合、ハウジングの外形を、径方向に突出させた形状にすることは難しい。
そのため、イヤホンには、ハウジングが大きくならないよう小径のスピーカユニットを用いる必要があり、良好な音質を得るという観点で不利になる、という問題点があった。
【０００５】
そこで、本発明が解決しようとする課題は、スピーカユニットを小径化せずにその前後空間を連通する連通路を形成して良好な音質が得られるイヤホンを提供することにある。
【課題を解決するための手段】
【０００６】
上記の課題を解決するために、本発明は次の１），２）の構成を有する。
１）  スピーカユニットと、
前記スピーカユニットを内部に収容したハウジングと、
前記ハウジングの内部に配置され、前記スピーカユニットの放音面とは反対側の面を、間に第１の空間を形成して支持するバッフルと、
を備え、
前記バッフルは、前記第１の空間と、前記第１の空間とは反対側の第２の空間と、を連通する通気孔を有し、
前記スピーカユニットの側面と前記ハウジングの内面との間に、前記第１の空間と、前記スピーカユニットに対する前記放音面側となる第３の空間と、を連通する第４の空間が形成されているイヤホンである。
２）  スピーカユニットと、
前記スピーカユニットを内部に収容したハウジングと、
前記ハウジングの内部に配置され、前記スピーカユニットよりも大径の基部と、前記基部から径方向内側に向かって突出し前記スピーカユニットの側面を周方向に離隔した位置で支持する複数の支持腕部を有するバッフルと、
を備え、
前記ハウジング内の、前記バッフルに対する一方側の空間と他方側の空間とが、隣接する前記支持腕部と前記スピーカユニットとの間に形成された通気孔で連通しているイヤホンである。
【発明の効果】
【０００７】
本発明によれば、スピーカユニットを小径化せずにその前後空間を連通する連通路を形成できて良好な音質が得られる。
【図面の簡単な説明】
【０００８】
【図１】図１は、本発明の実施の形態に係るイヤホンの実施例１であるイヤホン５１を説明するための縦断面図である。
【図２】図２は、イヤホン５１が備えるバッフル７を説明するための平面図である。
【図３】図３は、イヤホン５１の他の実施例であるイヤホン１５１を説明するための縦断面図である。
【図４】図４は、実施例２であるイヤホン５２を説明するための縦断面図である。
【図５】図５は、イヤホン５２が備えるバッフル２７を説明するための平面図である。
【図６】図６は、図４におけるＳ６−Ｓ６位置での断面図である。
【発明を実施するための形態】
【０００９】
本発明の実施の形態に係るイヤホンを、実施例１のイヤホン５１及び実施例２のイヤホン５２により説明する。
【００１０】
（実施例１）
図１は、イヤホン５１を説明するための縦断面図である。
以下、説明の便宜のため、イヤホン５１の前後方向を図１に示した矢印で規定する。前方は、使用時にイヤホン５１を装着する耳（頭部）側となる。
【００１１】
イヤホン５１は、スピーカユニット３を内部に収容した本体部１を有する。
本体部１は前方に突出した音筒部４ａを有し、音筒部４ａには着脱自在にイヤーピース２が装着される。
イヤホン５１は、イヤーピース２を外耳道内に挿入する共に本体部１を耳介に装着して使用する、いわゆるカナル型（耳栓型）イヤホンである。
各図において、スピーカユニット３から外部に引き出されているコード及びブッシングは、不図示である。
【００１２】
本体部１は、前後に組み合わされた前ハウジング４及び後ハウジング５を有する。組み合わされた前ハウジング４及び後ハウジング５により、ハウジング６が構成される。
ハウジング６において、前ハウジング４及び後ハウジング５は、それぞれ軸線ＣＬ１を中心として内径Ｄａなる有底鍋状に形成されている。既述の筒状の音筒部４ａは、前ハウジング４において軸線ＣＬ１の前方に突出形成されている。
【００１３】
前ハウジング４及び後ハウジング５は、樹脂で形成される。樹脂例はＰＣ（ポリカーボネート）である。
イヤーピース２は、ゴムなどの柔軟性を有する材料で形成される。材料例はシリコーンゴムである。
【００１４】
ハウジング６の内部には、バッフル７が取り付けられている。
図２は、バッフル７の平面図である。
図１及び図２に示されるように、バッフル７は、概ね円板状を呈し、中央に貫通孔７ａを有している。また、貫通孔７ａの周縁部は、軸方向の一方側（使用状態で前方）に向け、環状にて高さＨａ（図１）で突出する台座部７ｂとされている。台座部７ｂの天面７ｂ１は、軸線ＣＬ１に直交する同一平面として形成されている。
【００１５】
バッフル７の外縁部と台座部７ｂとの間には、軸線ＣＬ１方向に貫通する貫通孔として、複数の通気孔７ｃが形成されている。この例では、通気孔７ｃは円弧状の貫通孔である。通気孔７ｃの形状及び個数は限定されるものではなく、例えば形状は円孔や角孔などでもよく、異種形状の孔が混在していてもよい。
【００１６】
バッフル７は、樹脂で形成される。樹脂例はＰＣ（ポリカーボネート）である。
【００１７】
スピーカユニット３は、不図示のコードを介して外部から音声信号が入力されることで振動板３ａが前後方向に振動し、音を主に放音面３ｋから一方側（図１における前方側）へ出力する電気音響変換器である。
詳しくは、スピーカユニット３は、外縁部に位置する外径Ｄｂなる円環状のフレーム３ｂと、フレーム３ｂの内側に固定された有底鍋状のヨーク３ｃと、ヨーク３ｃの底壁部３ｃ２に固定された円柱状のマグネット３ｄと、マグネット３ｄの前端に固定された円板状のトッププレート３ｅと、を含む固定部を有する。
さらに、スピーカユニット３は、トッププレート３ｅ及びマグネット３ｄの外側に軸線ＣＬ１を中心軸として配置された円筒状のボイスコイルボビン３ｆと、ボイスコイルボビン３ｆの前端が径方向中間部に連結され、外縁部がエッジ３ａ１としてフレーム３ｂに固定されて軸線ＣＬ１方向に往復動可能な振動板３ａと、を含む可動部を有する。
【００１８】
スピーカユニット３の外径Ｄｂは、前ハウジング４の内径Ｄａより小径とされている。すなわち、外径Ｄｂ＜内径Ｄａ  である。
【００１９】
トッププレート３ｅ及びマグネット３ｄは、中心位置に前後方向に延びる貫通孔３ｇを有する。貫通孔３ｇの内部の空間Ｖｃを介して、振動板３ａの直後の空間Ｖａと、スピーカユニット３の後方側の空間Ｖｂと、が連通している。
【００２０】
以上説明した各部材を次に説明する手順例で組み合わせて、イヤホン５１を製造する。
【００２１】
まず、スピーカユニット３の後面３ｈを、バッフル７の台座部７ｂに対し、軸線ＣＬ１を同一中心軸として接着固定する。この例において後面３ｈは、ヨーク３ｃの後面３ｃ１である。固定方法は接着剤による接着に限定されず、両面テープによる貼着などでもよい。
【００２２】
スピーカユニット３を取り付けたバッフル７を、バッフル体Ｂとも称する。
バッフル体Ｂには、不織布などから形成され音響抵抗体として機能する音響フィルタ８ａ及び８ｂ（図１参照）を、それぞれヨーク３ｃにおける貫通孔３ｇ及びバッフル７における通気孔７ｃを通気可能に覆うように貼り付けてもよい。
音響フィルタ８ａ，８ｂは、イヤホン５１の設計での音質調整作業において、出力音が良好となるよう材質及び厚さが選択設定される。
【００２３】
次に、バッフル体Ｂを、後ハウジング５に固定する。
具体的には、図１に示されるように、後ハウジング５の形状を、内面前端部にバッフル体Ｂのバッフル７の周縁部が係合する環状の段部５ａを有するものとしておき、この段部５ａにバッフル７を前方から係合させて接着又は溶着により固定する。
次いで、後ハウジング５の前方端部に、前ハウジング４の後方端部を突き合わせて接着又は溶着により一体化する。
これらの手順を含んでイヤホン５１は組み立てられる。
【００２４】
バッフル７及びスピーカユニット３を含んで構成されるバッフル体Ｂによって、ハウジング６の内部は、実質的にバッフル７の前方気室の前方空間Ｖｆと後方気室の後方空間Ｖｇとに区画される。
さらに詳しくは、前方空間Ｖｆは、実質的にスピーカユニット３の放音面側空間となる振動板３ａに対する前方の振動板前空間Ｖｆａと、スピーカユニット３の側方及びスピーカユニット３とバッフル７との間の空間である中継空間Ｖｆｂと、が接続した空間である。
【００２５】
すなわち、前方空間Ｖｆは、連接した空間Ｖｆ１〜Ｖｆ４を含む空間であって、そのうち、振動板前空間Ｖｆａは、空間Ｖｆ１及び空間Ｖｆ２を含み、中継空間Ｖｆｂは、空間Ｖｆ３及び空間Ｖｆ４を含む。
【００２６】
まず、前方空間Ｖｆについて説明する。
振動板前空間Ｖｆａにおける空間Ｖｆ１は、音筒部４ａの内部空間である。
空間Ｖｆ２は、空間Ｖｆ１の後方側に接続し、概ね、前ハウジング４の径が拡縮する部分の内面４ｂとスピーカユニット３の振動板３ａとに囲まれた空間である。
【００２７】
中継空間Ｖｆｂにおける空間Ｖｆ３は、空間Ｖｆ２の周縁後方側に接続し、前ハウジング４の最大径部分の内面４ｃとスピーカユニット３の側面３ｊとに囲まれた筒状の空間である。空間Ｖｆ３は、周方向において径方向幅が一定でなくてよい。また、空間Ｖｆ３は、全周にわたり形成されているものに限らず、内面４ｃと側面３ｊとの間において周方向の一部に形成されていてもよい。すなわち、前ハウジング４の内面４ｃとスピーカユニット３の側面３ｊとが部分的に接触していてもよい。
空間Ｖｆ４は、空間Ｖｆ３の後方側に接続し、スピーカユニット３の後面３ｈのうちの、バッフル７の台座部７ｂよりも径方向外側の後面３ｈ１と、バッフル７とに囲まれた平環状（平ワッシャ状）の空間である。
【００２８】
後方空間Ｖｇは、スピーカユニット３における振動板３ａの直後の空間Ｖａと、貫通孔３ｇの内部の空間Ｖｃと、後ハウジング５とバッフル７とスピーカユニット３とに囲まれた空間Ｖｄと、を含む。
【００２９】
そして、前方空間Ｖｆと後方空間Ｖｇとは、バッフル７の通気孔７ｃの内部空間である空間Ｖｅを介して連通している（図１の矢印ＡＲａ参照）。
【００３０】
このようにイヤホン５１は、スピーカユニット３を支持すると共にハウジング６の内部にその内部空間を前後に区画するバッフル７を有する。
バッフル７は、区画した前後両側の空間を連通する通気孔７ｃを有し、スピーカユニット３は、その側方の空間Ｖｆ３と通気孔７ｃとが連通するよう、バッフル７の表面から離隔させて空間Ｖｆ４を形成すべく、台座部７ｂの天面７ｂ１によって後面３ｈが支持されている。
換言するならば、バッフル７に、前方に突出した台座部７ｂを形成し、台座部７ｂの天面７ｂ１によってスピーカユニット３の後面３ｈを当接支持するようになっている。
【００３１】
これにより、スピーカユニット３の後面３ｈとバッフル７との間に通気孔７ｃと連通する空間Ｖｆ４を形成することが可能となり、また、バッフル７の通気孔７ｃの径方向位置を、少なくとも一部が、スピーカユニット３の最大径内の位置（バッフル７への投影範囲内）に入るように設定可能となっている。
そのため、スピーカユニット３の外形を、ハウジング６の内面である前ハウジング４の内面４ｃぎりぎりまで大径化することができる。
【００３２】
また、スピーカユニット３の側方と後方とに跨って存在する中継空間Ｖｆｂは、振動板前空間Ｖｆａと後方空間Ｖｇとを連通する機能を有していれば流路断面積は小さくてよい。従って、スピーカユニット３の外径Ｄｂを前ハウジング４の内面４ｃの内径Ｄａに可能な限り近づけることができる。
すなわち、スピーカユニット３を、ハウジング６との間に径方向の隙間を形成できる限り最大径のものを用いることができる。
これにより、イヤホン５１は、スピーカユニット３を小径化せずにその前後空間を連通する連通路を形成して良好な音質が得られる。
【００３３】
図３は、イヤホン５１の別の態様であるイヤホン１５１を説明するための縦断面図であり、図１に概ね対応する図である。
イヤホン１５１は、イヤホン５１とほぼ同様の構造を有し、音筒部１４ａが本体部１１の軸線ＣＬ１１に対し傾斜して突出形成されている点など、外観が主に異なる例である。
【００３４】
イヤホン１５１は、本体部１１において、スピーカユニット１３を内部に収容したハウジング１６を有する
ハウジング１６は、前ハウジング１４と後ハウジング１５とが前後方向に組み合わされて構成されている。
前ハウジング１４は、その軸線ＣＬ１１に対し傾斜した軸線ＣＬ１２に沿い斜め前方に突出する筒状の音筒部１４ａを有している。音筒部１４ａにはイヤーピース１２が着脱自在に取り付けられている。
【００３５】
後ハウジング１５の内部には、中央に第１の貫通孔１７ａを有する平リング状のバッフル１７が軸線ＣＬ１１に直交延在する姿勢で取り付けられている。
バッフル１７は、貫通孔１７ａの周縁部又はその近傍に前方に突出する台座部１７ｂを有し、台座部１７ｂの天面１７ｂ１にはスピーカユニット１３の後面１３ｈが固定されている。ここでバッフル体Ｂは、スピーカユニット１３とそれが取り付けられたバッフル１７とから構成される。
【００３６】
バッフル体Ｂのバッフル１７における、台座部１７ｂよりも径方向外側の部位には、前後に貫通する通気孔１７ｃが形成されている。通気孔１７ｃは、例えば、円弧状孔や円孔などであって、周方向に離隔して複数形成されている。
バッフル１７の後面１７ｄには、環状の音響フィルタ１８ｂが取り付けられており、音響フィルタ１８ｂによって複数の通気孔１７ｃは通気可能に覆われている。
また、スピーカユニット１３における振動板１３ａの直後の空間Ｖａと連通した貫通孔１３ｇが、バッフル１７の貫通孔１７ａに対応した位置に開口しており、その開口を通気可能に覆う音響フィルタ１８ａが取り付けられている
【００３７】
前ハウジング１４と後ハウジング１５とは、後ハウジング１５が内側となる凹凸係合で組み合わされている。
この組み合わせ部位における後ハウジング１５の内面１５ｃと、スピーカユニット１３の側面１３ｊとの間には、全周にわたり前後に通気可能な空間Ｖｆ１３が、中継空間Ｖｆｂとして形成されている。
【００３８】
そして、空間Ｖｆ１３とバッフル７の通気孔１７ｃとを介して、振動板１３ａの前方気室内の前方空間Ｖｆとバッフル１７の後方気室内の後方空間Ｖｇとが連通している（図３の矢印ＡＲｂ参照）。空間Ｖｆ１３は、周方向において径方向幅が一定でなくてよい。また、空間Ｖｆ１３は、全周にわたり形成されているものに限らず、内面１５ｃと側面１３ｊとの間において、周方向の一部に形成されていてもよい。すなわち、後ハウジング１５の内面１５ｃとスピーカユニット１３の側面１３ｊとが部分的に接触していてもよい。
【００３９】
上述の構成により、イヤホン１５１は、イヤホン５１と同様の効果を奏する。すなわち、スピーカユニット１３は、ハウジング１６との間に径方向隙間を形成可能な最大径のものを用いることができる。
これにより、イヤホン１５１は、スピーカユニット１３を小径化せずにその前後空間を連通する連通路を形成して良好な音質が得られる。
【００４０】
イヤホン５１の構成は、空間Ｖｆ４を第１の空間、空間Ｖｄを第２の空間、振動板前空間Ｖｆａを第３の空間、空間Ｖｆ３を第４の空間とすると、次のようにも説明できる。
すなわち、イヤホン５１は、スピーカユニット３と、スピーカユニット３を内部に収容したハウジング６と、ハウジング６の内部に配置され、スピーカユニット３の放音面３ｋとは反対側の面（後面３ｈ）を、間に第１の空間を形成して支持するバッフル７と、を備えている。また、バッフル７は、第１の空間と、第１の空間とは反対側の第２の空間と、を連通する通気孔７ｃを有している。また、イヤホン５１は、スピーカユニット３の側面３ｊとハウジング６の内面４ｃとの間に、第１の空間と、スピーカユニット３に対する放音面３ｋ側となる第３の空間と、を連通する第４の空間が形成されている。
【００４１】
（実施例２）
実施例２のイヤホン５２は、実施例１のイヤホン５１においてスピーカユニット３の後面３ｈを保持していたバッフル７の替わりに、スピーカユニット３の側面３ｊを保持するバッフル２７を用いた例である。
イヤホン５２においてイヤホン５１と異なる部材は、前ハウジング４，後ハウジング５，及びバッフル２７である。
【００４２】
以下、図４〜図６を参照してイヤホン５２を説明する。
図４は、イヤホン５２を説明するための縦断面図である。図５は、バッフル２７を説明するための平面図である。図６は、図４におけるＳ６−Ｓ６位置での断面図であり、逆に図４は、図６におけるＳ４−Ｓ４位置での断面図である。以下の説明において、イヤホン５１と共通の部材には同じ符号を付し、イヤホン５１と異なる点を主に説明する。
【００４３】
図４に示されるように、イヤホン５２は、本体部２１を有する。
本体部２１は、前ハウジング２４及び後ハウジング２５からなるハウジング２６と、スピーカユニット３を支持してハウジング２６内に、内部空間を前後に区画するよう取り付けられたバッフル２７と、を有して構成されている。
【００４４】
図５は、バッフル２７の単体の平面図である。
図４及び図５に示されるように、バッフル２７は、軸線ＣＬ１を中心とする円環状の基部２７ａと、基部２７ａの内周部から、中心に向け突出した支持腕部２７ｂと、を有する。
支持腕部２７ｂの突出長さは、その先端面２７ｂ１が、直径Ｄｃの円弧状周面となるよう設定されている。
【００４５】
直径Ｄｃは、スピーカユニット３の外径Ｄｂに対し僅かに小さく設定される。
これにより、バッフル２７は、周方向に離隔配置された複数の支持腕部２７ｂによってスピーカユニット３の側面３ｊをわずかに強嵌合で支持し、スピーカユニット３と一体化可能とされている。
イヤホン５２の製造工程では、スピーカユニット３を支持腕部２７ｂに対し嵌め込み接着剤で固定する。スピーカユニット３とそれを固定支持したバッフル２７とで、バッフル体Ｂ２（図４）が構成される。
図５に示される例では、支持腕部２７ｂは９０°の角度間隔で４箇所形成されており、バッフル体Ｂ２において、隣接する支持腕部２７ｂの間には、円弧状の空間部２７ｃ（図５）が形成されている。
【００４６】
イヤホン５２の製造工程は、まず、予め形成しておいたバッフル体Ｂ２を前ハウジング２４に固定する。
具体的には、図４に示されるように、前ハウジング４には、内面後端部に、バッフル体Ｂ２におけるバッフル２７の周縁部が係合する環状の段部２４ａを形成しておく。
この段部２４ａにバッフル２７の基部２７ａを後方から係合させ接着又は溶着で固定する。
さらに、前ハウジング２４の後方端部に、後ハウジング２５の前方端部を凹凸嵌合でつき合わせして、バッフル２７の基部２７ａを挟んだ状態で接着又は溶着により一体化する。
【００４７】
これにより、スピーカユニット３と、バッフル２７の支持腕部２７ｂと基部２７ａとに囲まれて、既述の円弧状の空間部２７ｃが形成される。
空間部２７ｃは、バッフル２７に対する前方気室の前方空間Ｖｆと後方気室の後方空間Ｖｇとを連通する通気孔として機能する。すなわち、前方気室の前方空間Ｖｆと後方気室の後方空間Ｖｇとは、空間部２７ｃを介して連通している（図４の矢印ＡＲｃ参照）。
【００４８】
空間部２７ｃには、図６に示されるように、空間部２７ｃと形状及び寸法を合やや強嵌合となるように形成した音響フィルタ２８ｂ（網点部）を挿着してもよい。
また、スピーカユニット３の振動板３ａの直後の空間Ｖａは、貫通孔３ｇを介して後方空間Ｖｇに連通している。
貫通孔３ｇの開口を通気可能に覆うように音響フィルタ２８ａを取り付けてもよい。
【００４９】
イヤホン５２は、上述のように、スピーカユニット３を支持しハウジング２６の内部空間を前後に区画するバッフル２７を有する。
バッフル２７は、支持腕部２７ｂにより、スピーカユニット３をその側面３ｊで支持している。
また、バッフル体Ｂ２は、区画した前後の空間を連通する通気孔となる空間部２７ｃを有し、ハウジング２６の内部の前方空間Ｖｆと後方空間Ｖｇとは、スピーカユニット３の側方の空間部２７ｃを介して連通している。
【００５０】
空間部２７ｃは、前後に通気可能であれば径方向を小さく形成できる。例えば、空間部２７ｃは、径方向の幅よりも周方向の長さの方が長い弧状にしてよい。
そのため、スピーカユニット３の外形を、ハウジング２６の内面２４ｃ，２５ｃのぎりぎりまで大径化することができる。
これにより、イヤホン５２は、スピーカユニットを小径化せずにその前後空間を連通する連通路を形成して良好な音質が得られる。
【００５１】
以上詳述した実施例は、上述の構成に限定されるものではなく、本発明の要旨を逸脱しない範囲において変形した変形例としてもよい。
【００５２】
イヤホン５１，１５１において、バッフル７とスピーカユニット３とを前後方向に離隔させて空間Ｖｆ４を形成する方法は、バッフル７に台座部７ｂを突設することに限らない。スピーカユニット３の後面３ｈに高さＨａで突出した部分を設けてバッフル７に当接固定させてもよい。もちろん、バッフル７とスピーカユニット３との両方に突出した部分を設けて当接固定させてもよい。
高さＨａは、バッフル７とスピーカユニット３との間に通気可能な空間（隙間）が形成できればよく、限定される値ではない。
【００５３】
イヤホン５１，１５１，５２としてカナル型のものを説明したが、カナル型に限定されない。イヤホン５１，１５１，５２は、カナル型として外耳道内に挿入するイヤーピース２，１２及び音筒部４ａ，１４ａなどを備えずに、本体部１を耳介内に装着するいわゆるインナーイヤー型であってもよい。
【００５４】
ハウジング６，１６，２６及びバッフル７，１７，２７は樹脂で形成するものに限定されない。金属やセラミックスなど他の材質で形成されていてもよい。
【００５５】
通気孔７ｃ，１７ｃは、一軸上に形成された貫通孔に限定されない。例えば、両面それぞれから抉られた凹部同士が接続して、通気可能とされた孔であってもよい。
【符号の説明】
【００５６】
１，１１  本体部
２，１２  イヤーピース
３，１３  スピーカユニット
３ａ  振動板、    ３ａ１  エッジ、    ３ｂ  フレーム、    ３ｃ  ヨーク
３ｃ１  後面、    ３ｃ２  底壁部、    ３ｄ  マグネット
３ｅ  トッププレート、    ３ｆ  ボイスコイルボビン、    ３ｇ  貫通孔
３ｈ，３ｈ１，１３ｈ  後面、    ３ｊ，１３ｊ  側面、    ３ｋ  放音面
４，１４，２４  前ハウジング
４ａ，１４ａ  音筒部、    ４ｂ，４ｃ，２４ｃ  内面
５，１５，２５  後ハウジング、    ５ａ  段部
６，１６  ハウジング
７，１７，２７  バッフル
７ａ，１７ａ  貫通孔、    ７ｂ，１７ｂ  台座部
７ｂ１，１７ｂ１  天面、    ７ｃ，１７ｃ  通気孔
８ａ，８ｂ，１８ａ，１８ｂ，２８ａ，２８ｂ  音響フィルタ
１５ｃ，２５ｃ  内面
１７ｄ  後面
２７ａ  基部、    ２７ｂ  支持腕部、    ２７ｃ  空間部
５１，１５１，５２  イヤホン
Ｂ，Ｂ２  バッフル体
ＣＬ１，ＣＬ１１，ＣＬ１２  軸線
Ｄａ  内径、    Ｄｂ  外径、    Ｈａ  高さ
Ｖａ，Ｖｂ，Ｖｃ，Ｖｄ，Ｖｅ  空間
Ｖｆ  前方空間、    Ｖｆａ  振動板前空間、    Ｖｆｂ  中継空間
Ｖｆ１〜Ｖｆ４，Ｖｆ１３  空間、    Ｖｇ  後方空間
【図１】
2019047406.tif 000003
【図２】
2019047406.tif 000004
【図３】
2019047406.tif 000005
【図４】
2019047406.tif 000006
【図５】
2019047406.tif 000007
【図６】
2019047406.tif 000008